(57)【特許請求の範囲】
【請求項１】
調理物が入れられる内鍋と、
上面が開口され、前記内鍋が着脱自在に収容される内鍋収容部を有する炊飯器本体と、
前記炊飯器本体の上面の開口を開閉する蓋体と、
前記内鍋を加熱する加熱手段と、
前記加熱手段を駆動制御する制御部と、
報知手段と、
使用者の消費エネルギーを記憶したＩＣタグとの間で非接触で交信を行う読取部と、
前記内鍋の重量を検知する重量検知手段とを備え、
前記制御部は、前記重量検知手段により検知された前記内鍋の重量の変化に基づいて、当該重量の変化に対応したエネルギーを摂取エネルギーとして算出し、
前記報知手段は、前記制御部が算出した前記摂取エネルギーを報知するとともに、前記読取部が取得した消費エネルギーを報知し、
さらに、前記報知手段は、前記摂取エネルギーが使用者の摂取許容エネルギーを超えている場合は、その旨を報知する
ことを特徴とする炊飯器。
【請求項２】
調理物が入れられる内鍋と、
上面が開口され、前記内鍋が着脱自在に収容される内鍋収容部を有する炊飯器本体と、
前記炊飯器本体の上面の開口を開閉する蓋体と、
前記内鍋を加熱する加熱手段と、
前記加熱手段を駆動制御する制御部と、
報知手段と、
使用者の消費エネルギーを記憶したＩＣタグとの間で非接触で交信を行う読取部と、
前記内鍋の重量を検知する重量検知手段とを備え、
前記制御部は、前記重量検知手段により検知された前記内鍋の重量の変化に基づいて、当該重量の変化に対応したエネルギーを摂取エネルギーとして算出し、
前記報知手段は、前記制御部が算出した前記摂取エネルギーを報知するとともに、前記読取部が取得した消費エネルギーを報知し、
さらに、前記報知手段は、一回の炊飯を終了してから次回の炊飯を開始するまでの前記摂取エネルギーの使用者毎の積算値が、使用者の摂取許容エネルギーを超えている場合は、その旨を報知する
ことを特徴とする炊飯器。
【請求項３】
調理物が入れられる内鍋と、
上面が開口され、前記内鍋が着脱自在に収容される内鍋収容部を有する炊飯器本体と、
前記炊飯器本体の上面の開口を開閉する蓋体と、
前記内鍋を加熱する加熱手段と、
前記加熱手段を駆動制御する制御部と、
報知手段と、
使用者の消費エネルギーを記憶したＩＣタグとの間で非接触で交信を行う読取部と、
前記内鍋の重量を検知する重量検知手段と、
前記蓋体の開閉状態を検知する蓋体開閉検知手段とを備え、
前記制御部は、前記重量検知手段により検知された前記内鍋の重量の変化に基づいて、当該重量の変化に対応したエネルギーを摂取エネルギーとして算出し、
前記報知手段は、前記制御部が算出した前記摂取エネルギーを報知するとともに、前記読取部が取得した消費エネルギーを報知するものであり、
前記報知手段は、前記蓋体開閉検知手段により前記蓋体が開放されていることが検知されている間、前記摂取エネルギーを報知する
ことを特徴とする炊飯器。
【請求項４】
調理物が入れられる内鍋と、
上面が開口され、前記内鍋が着脱自在に収容される内鍋収容部を有する炊飯器本体と、
前記炊飯器本体の上面の開口を開閉する蓋体と、
前記内鍋を加熱する加熱手段と、
前記加熱手段を駆動制御する制御部と、
数字及び文字により報知を行う表示手段を有する報知手段と、
使用者の消費エネルギーを記憶したＩＣタグとの間で非接触で交信を行う読取部と、
前記内鍋の重量を検知する重量検知手段とを備え、
前記制御部は、前記重量検知手段により検知された前記内鍋の重量の変化に基づいて、当該重量の変化に対応したエネルギーを摂取エネルギーとして算出し、
前記報知手段は、前記制御部が算出した前記摂取エネルギーを報知するとともに、前記読取部が取得した消費エネルギーを報知し、
前記表示手段のうち前記摂取エネルギーを表示する表示部は、現在時刻を表示する表示部を兼ねており、前記重量検知手段により前記内鍋の重量の増加が検知されると、現在時刻から前記摂取エネルギーへ表示を切り替える
ことを特徴とする炊飯器。
【請求項５】
調理物が入れられる内鍋と、
上面が開口され、前記内鍋が着脱自在に収容される内鍋収容部を有する炊飯器本体と、
前記炊飯器本体の上面の開口を開閉する蓋体と、
前記内鍋を加熱する加熱手段と、
前記加熱手段を駆動制御する制御部と、
数字及び文字により報知を行う表示手段を有する報知手段と、
使用者の消費エネルギーを記憶したＩＣタグとの間で非接触で交信を行う読取部と、
前記内鍋の重量を検知する重量検知手段と、
前記蓋体の開閉状態を検知する蓋体開閉検知手段とを備え、
前記制御部は、前記重量検知手段により検知された前記内鍋の重量の変化に基づいて、当該重量の変化に対応したエネルギーを摂取エネルギーとして算出し、
前記報知手段は、前記制御部が算出した前記摂取エネルギーを報知するとともに、前記読取部が取得した消費エネルギーを報知し、
前記表示手段のうち前記摂取エネルギーを表示する表示部は、前記蓋体開閉検知手段により前記蓋体が閉じられたことが検知されると、前記摂取エネルギーから現在時刻へ表示を切り替える
ことを特徴とする炊飯器。
【請求項６】
調理物が入れられる内鍋と、
上面が開口され、前記内鍋が着脱自在に収容される内鍋収容部を有する炊飯器本体と、
前記炊飯器本体の上面の開口を開閉する蓋体と、
前記内鍋を加熱する加熱手段と、
前記加熱手段を駆動制御する制御部と、
報知手段と、
使用者の消費エネルギーを記憶したＩＣタグとの間で非接触で交信を行う読取部と、
前記内鍋の重量を検知する重量検知手段とを備え、
前記制御部は、前記重量検知手段により検知された前記内鍋の重量の変化に基づいて、当該重量の変化に対応したエネルギーを摂取エネルギーとして算出し、
前記報知手段は、前記制御部が算出した前記摂取エネルギーを報知するとともに、前記読取部が取得した消費エネルギーを報知するものであり、
複数の表示要素を備え、これらの表示要素の表示状態を異ならせることによって、使用者の摂取許容エネルギーと前記摂取エネルギーとの差の程度を段階的に表示するレベル表示部をさらに備えた
ことを特徴とする炊飯器。
【請求項７】
前記制御部は、前記読取部が取得した消費エネルギーに基づいて、前記使用者の摂取許容エネルギーを算出する
ことを特徴とする請求項１または請求項２記載の炊飯器。
【請求項８】
前記読取部は、前記ＩＣタグに記憶された前記使用者の摂取許容エネルギーを読み取る
ことを特徴とする請求項１または請求項２記載の炊飯器。
【請求項９】
前記報知手段は、数字及び文字により報知を行う表示手段を備えた
ことを特徴とする請求項１、２、３、６のいずれか一項に記載の炊飯器。
【請求項１０】
前記報知手段は、音声により報知を行う音声出力手段を備えた
ことを特徴とする請求項１〜請求項９のいずれか一項に記載の炊飯器。
【請求項１１】
前記制御部は、前記内鍋の重量の変化量に、単位重量当たりのエネルギーを乗ずることで、前記摂取エネルギーを算出する
ことを特徴とする請求項１〜請求項１０のいずれか一項に記載の炊飯器。
【請求項１２】
複数種類の調理物の前記単位重量当たりのエネルギーを記憶する記憶部を備えた
ことを特徴とする請求項１１記載の炊飯器。
【請求項１３】
複数種類の調理物の中からいずれかを選択する操作手段を備え、
前記制御部は、前記操作手段により選択された前記調理物に対応した前記単位重量当たりのエネルギーを用いて、前記摂取エネルギーを算出する
ことを特徴とする請求項１２記載の炊飯器。
【発明の詳細な説明】
【技術分野】
【０００１】
本発明は、炊飯器に関する。
【背景技術】
【０００２】
最近は消費者の高齢化が進み、生活習慣病から糖尿病などに移行するリスクが高まっている。糖尿病などに罹患すると一日の摂取カロリーが制限されるため、消費者は健康意識が高くなっている。また、ダイエット志向の傾向も強いことから、摂取カロリーを気にする消費者が増加している。このようなことから、ご飯を摂取する際に摂取カロリーを容易に認知することのできる炊飯器が求められている。
【０００３】
このような、ご飯を摂取する際に摂取カロリーを認知することのできる炊飯器として、鍋内の調理物の総重量を検知する重量検知手段と、この重量検知手段の出力信号により調理物の重量を算出し、重量の変化量に単位重量当たりの調理物のエネルギー量を乗じて演算する制御部と、この制御部が演算した結果をカロリー又はキロカロリーという単位を付して表示する表示部とを備えたものがある（例えば、特許文献１参照）。
【先行技術文献】
【特許文献】
【０００４】
【特許文献１】特開２００６−８１６４１号公報（第３、４頁、図１、２）
【発明の概要】
【発明が解決しようとする課題】
【０００５】
特許文献１の炊飯器は、摂取する調理物のエネルギー量を表示させるためには、使用者は専用の操作ボタンを操作しなければならない。しかし、通常、ご飯を茶碗に盛り付ける際は、一方の手に茶碗、他方の手にしゃもじを持っているため両手がふさがっているので、どちらかを一旦置いてから操作ボタンを操作しなければならず、操作が面倒である。
【０００６】
また、使用者が摂取カロリーを管理しようとした場合、例えば当該食事までに使用者が消費したカロリーや、目標とする摂取カロリー等の情報も必要となる。しかし、特許文献１の炊飯器は、茶碗に盛り付けたご飯のエネルギー量を使用者に示すことしかできず、使用者は摂取カロリーの管理に手間を要していた。このため、使用者が摂取カロリーを管理しやすい炊飯器が望まれていた。
【０００７】
本発明は、上記のような課題を解決するためになされたもので、使用者が摂取エネルギーの管理を行いやすい炊飯器を提供することを目的とするものである。
【課題を解決するための手段】
【０００８】
本発明に係る炊飯器は、調理物が入れられる内鍋と、上面が開口され、前記内鍋が着脱自在に収容される内鍋収容部を有する炊飯器本体と、前記炊飯器本体の上面の開口を開閉する蓋体と、前記内鍋を加熱する加熱手段と、前記加熱手段を駆動制御する制御部と、報知手段と、使用者の消費エネルギーを記憶したＩＣタグとの間で非接触で交信を行う読取部と、前記内鍋の重量を検知する重量検知手段とを備え、前記制御部は、前記重量検知手段により検知された前記内鍋の重量の変化に基づいて、当該重量の変化に対応したエネルギーを摂取エネルギーとして算出し、前記報知手段は、前記制御部が算出した前記摂取エネルギーを報知するとともに、前記読取部が取得した消費エネルギーを報知し、さらに、前記報知手段は、前記摂取エネルギーが使用者の摂取許容エネルギーを超えている場合は、その旨を報知するものである。
【発明の効果】
【０００９】
本発明によれば、使用者が内鍋から取り出した調理物のエネルギーを摂取エネルギーとして報知するとともに、消費エネルギーも報知する。このため、使用者は、内鍋から米飯を取り出すときに消費エネルギーと摂取エネルギーとの差を認識できるので、摂取エネルギーの管理を行いやすい。
【図面の簡単な説明】
【００１０】
【図１】実施の形態１に係る炊飯器の断面模式図である。
【図２】実施の形態１に係る炊飯器の前面側上部の要部上面図である。
【図３】実施の形態１に係る炊飯器の機能ブロック図である。
【図４】実施の形態１に係る炊飯器のカロリー報知処理を説明するフローチャートである。
【図５】実施の形態１に係る炊飯器のカロリー報知処理における表示部の表示例を説明する図である。
【図６】実施の形態３に係る炊飯器の前面側上部の要部上面図である。
【発明を実施するための形態】
【００１１】
以下、本発明に係る炊飯器の実施の形態を、図面を参照して説明する。なお、以下に示す図面の形態によって本発明が限定されるものではない。また、各図において同一の構成には、同一の符号を付している。
【００１２】
実施の形態１．
図１は、実施の形態１に係る炊飯器の断面模式図である。図１に示すように、炊飯器１００は、上面が開口されたほぼ有底筒状の炊飯器本体１と、炊飯器本体１の後部側（図１の紙面右側）に設けられたヒンジ３１を軸にして炊飯器本体１の上面の開口を開閉自在に覆う蓋体３０と、炊飯器本体１内に収容される内鍋４０とを備える。
【００１３】
炊飯器本体１の内側には、筒状の内鍋支持ケース２が設置されている。また、この内鍋支持ケース２の下部には、中央部に開口部３ａが形成されたほぼ深皿状のコイル台３が配設されている。内鍋支持ケース２とコイル台３とにより、内鍋４０を着脱自在に収容するほぼ有底円筒状の内鍋収容部５が形成されている。コイル台３の底部の下面、及びコイル台３の側面から下面に連なるコーナー部の外面には、内鍋４０を加熱する加熱手段としての誘導加熱コイル６が設けられている。なお、本実施の形態１では加熱手段が誘導加熱コイル６であるものとして説明するが、内鍋４０を加熱可能なものであれば例えば電気ヒーター等を加熱手段として用いてもよい。
【００１４】
内鍋４０は、例えばステンレスや鉄などの磁性材料で構成された有底円筒状の容器であり、米４３や水４４などの調理物４２を収容する。内鍋４０は、炊飯器本体１の内鍋収容部５内に出し入れ自在に収容される。内鍋４０の上端部外周にはフランジ４１が形成されており、このフランジ４１が内鍋支持ケース２の上端部に支持され、内鍋４０の底部及び周壁は、内鍋収容部５の内壁との間に若干の隙間を介して内鍋収容部５内に保持される。
【００１５】
コイル台３の中央部の下部には、基台７が設けられている。基台７の上には、内鍋検知装置８が設置されている。内鍋検知装置８は、内鍋収容部５に内鍋４０が収容されているか否かを検知するための装置である。内鍋検知装置８は、内鍋４０が収容されているか否かを示す電気信号を制御部１６に出力する。
【００１６】
内鍋検知装置８には、内鍋検知体１２及びロードセル１３が取り付けられた絶縁物からなるセンサ台１１が一体に設けられている。内鍋検知体１２は、コイル台３の底部に設けられた開口部３ａに挿入され、内鍋収容部５内に突出するようにしてバネ等の付勢手段によって上方に付勢されている。また、ロードセル１３は、重量検出素子である例えば抵抗ひずみゲージを内蔵している。内鍋４０が内鍋収容部５に収容されると、内鍋収容部５内に突出した状態の内鍋検知体１２に内鍋４０の荷重が加わり、ロードセル１３は、内鍋検知体１２を介して内鍋４０の荷重を受ける。そして、ロードセル１３は、その抵抗変化を電気信号として後述する制御部１６に送る。内鍋検知装置８は、内鍋４０の荷重を受けて下方に下がる内鍋検知体１２によって押圧されるスイッチを有し、このスイッチの状態によって内鍋４０が内鍋収容部５に収容されたか否かを検知する。なお、本実施の形態１では、センサ台１１、内鍋検知体１２、及びロードセル１３によって重量検知手段１０を構成している。また、内鍋４０の重量を検知可能なものであれば、重量検知手段１０として任意の構成を採用できる。
【００１７】
炊飯器本体１の内部の前面側（図１の紙面左側）には、前面パネル１５が設けられている。前面パネル１５の背面側には、マイクロコンピュータ等が搭載された回路基板を有し、誘導加熱コイル６に交番磁界を発生させる電流や、炊飯器１００の各部の動作を制御する制御部１６が設置されている。制御部１６は、内鍋収容部５の外壁に取り付けられている。また、制御部１６の近傍には、制御部１６に冷却風を送る送風機１７が設けられている。送風機１７は、制御部１６によって動作制御される。
【００１８】
炊飯器本体１の底部には、音声出力手段であるスピーカー１８が設けられている。スピーカー１８は、制御部１６が実装された回路基板に信号線によって接続されており、制御部１６により音声出力を制御される。なお、このスピーカー１８の設置場所は図示のものに限らず、また、本実施の形態１においてはスピーカー１８を設けない構成とすることもできる。
【００１９】
炊飯器本体１には、蓋体３０の開閉状態を検知する蓋体開閉検知部１９が設けられている。蓋体開閉検知部１９は、本実施の形態１では、蓋体３０が閉じられるとスイッチが押下されて接点が切り替わるマイクロスイッチを備えており、その接点の状態を電気信号として制御部１６に出力する。制御部１６は、蓋体開閉検知部１９の接点の状態に応じて、蓋体３０が開状態にあるか閉状態にあるかを検知することができる。なお、蓋体開閉検知部１９の具体的構成はこのようなものに限定されず、例えば蓋体３０と炊飯器本体１とを接続するヒンジ３１に、蓋体３０の開放角度に応じて接点が切り替わるスイッチを設けてもよいし、蓋体３０を開放するための操作ボタン（図示せず）の押下状態によって接点が切り替わるスイッチを設けてもよい。また、機械式のスイッチに限らず、電気的なスイッチを蓋体開閉検知部１９として設けてもよい。
【００２０】
炊飯器本体１の前面側の上部には、操作手段としての操作部２０と表示部２５が設けられ、これらの近傍には後述する非接触ＩＣ読取部２７が設けられている。操作部２０は、後述する複数の操作ボタンを有し、使用者からの操作入力を受けるとその操作入力に応じた信号を制御部１６に出力する。表示部２５は、炊飯器１００の動作状態や、操作部２０による設定内容等の情報を、文字や図形等によって視覚的に報知する表示手段であり、本実施の形態１では液晶画面によって構成されている。
【００２１】
ここで、実施の形態１に係る炊飯器の操作部２０及び表示部２５を説明する。
図２は、実施の形態１に係る炊飯器の前面側上部の要部上面図である。
【００２２】
操作部２０には、炊飯スタートキー２１、切・保温キー２２、予約タイマーキー２３、複数のメニューキー２４が設けられている。炊飯スタートキー２１は、炊飯工程の開始を指示するためのものである。切・保温キー２２は、保温工程の開始、停止を切り替えるためのものである。予約タイマーキー２３は、予約炊飯のために必要な時刻等の設定を行うためのものである。複数のメニューキー２４は、それぞれ、炊飯条件を設定するためのものである。
【００２３】
表示部２５は、設定された炊飯メニューを表示するメニュー表示部２５１、消費カロリー表示部２５２、及び摂取カロリー表示部２５３を備えている。図２では、メニュー表示部２５１に表示されうるすべてのメニューを図示しているが、炊飯器１００の動作状態においては、操作部２０で設定された項目のみが表示される。消費カロリー表示部２５２は、使用者の消費エネルギー量を消費カロリーとして数字で表示する報知手段として機能する。また、摂取カロリー表示部２５３は、使用者の摂取カロリーを数字を用いて報知する報知手段として機能する。なお、本実施の形態１では、摂取カロリー表示部２５３は、現在時刻を表示する時刻表示部及び炊飯工程終了までの残時間を表示する残時間表示部を兼ねており、炊飯器１００の動作状態に応じて摂取カロリー表示部２５３の表示内容が切り替わる。
【００２４】
表示部２５の近傍には、炊飯器本体１の内部に収容された非接触ＩＣ読取部２７の位置を示す読取部表示２６が設けられている。
【００２５】
なお、本実施の形態１では、操作部２０を炊飯器本体１に設けた例を示したが、操作部２０を蓋体３０に設けてもよい。なお、表示部２５については、上記のように炊飯器本体１に設けるのが好ましい。というのは、後述するように内鍋４０から取り出されたご飯のエネルギー（カロリー）をリアルタイムに表示するので、表示部２５を炊飯器本体１に設けることで、使用者がその表示されたカロリーを見ながらご飯の取り出し量を調整しやすいためである。
【００２６】
図３は、実施の形態１に係る炊飯器の機能ブロック図である。図３を参照して、非接触ＩＣ読取部２７及びこれに関連する構成を説明する。
ＩＣタグ２００は、本実施の形態１に係る炊飯器１００の構成の一部ではないが、関連する構成であるので説明しておく。ＩＣタグ２００は、一般に、基板上に形成されたアンテナとそれに接続されたＩＣチップとを有し、非接触通信により非接触ＩＣ読取部２７との間で交信を行うものである。本実施の形態１では、ＩＣタグ２００は、例えば活動量計など使用者の消費エネルギー（消費カロリー）を計測する機器に搭載されており、使用者の識別情報や消費カロリー等の情報を内部メモリに記憶している。
【００２７】
非接触ＩＣ読取部２７は、ＩＣタグ２００との間で電波の送受信を行い、ＩＣタグ２００から所定のデータを取得する機能を有する。非接触ＩＣ読取部２７は、ＩＣタグ２００に対して呼び出し信号を発信し、通信距離の範囲内にあるＩＣタグ２００からの応答信号を読み込み、ＩＣタグ２００の内部メモリに記憶された情報を読み取る。非接触ＩＣ読取部２７は、ＩＣタグ２００から読み取った情報（使用者の識別情報、消費カロリー等）を、制御部１６に出力する。
【００２８】
制御部１６は、読み書き可能な記憶装置である記憶部１６１を備える。
記憶部１６１は、炊飯器１００にて調理される調理物（本実施の形態１では、白米）の単位重量あたりのエネルギー量（基準エネルギー量１６１ａともいう。）を予め記憶している。
また、記憶部１６１は、非接触ＩＣ読取部２７を介してＩＣタグ２００から読み取った情報（使用者の識別情報、消費カロリー等。ＩＣタグ情報１６１ｂともいう。）を記憶する。なお、複数の使用者によって複数のＩＣタグ２００が使用される場合には、記憶部１６１は、識別情報毎に複数のＩＣタグ情報１６１ｂを区別して記憶することができる。また、記憶部１６１は、後述する摂取カロリーＥ1を記憶する。
【００２９】
また、記憶部１６１は、制御部１６が実行する制御プログラムや、プログラムの実行に必要なデータを記憶している。
【００３０】
次に、実施の形態１に係る炊飯器１００の動作を説明する。
まず、使用者が内鍋４０に米４３（ここでは、白米）と水４４からなる所定量の調理物４２を入れ、その内鍋４０を内鍋収容部５に収容して蓋体３０を閉じる。
【００３１】
そうすると、蓋体開閉検知部１９は、蓋体３０が閉じられたことを検知し、その検知信号を制御部１６へ送る。また、内鍋収容部５に内鍋４０が収容されると、重量検知手段１０を構成する内鍋検知体１２が押下され、内鍋検知装置８は、内鍋４０が内鍋収容部５に収容されたことを検知してその検知信号を制御部１６に送る。なお、このとき、表示部２５の摂取カロリー表示部２５３には、現在時刻が表示されている。
【００３２】
この状態で、使用者が操作部２０のメニューキー２４を操作して炊飯条件を設定し、炊飯スタートキー２１を操作すると、操作部２０にて設定された条件に基づいて制御部１６が炊飯工程の実行を開始する。炊飯工程は、例えば予熱工程、炊飯工程、炊き上げ工程、むらし工程によって構成され、むらし工程が終了すると保温工程に移行する。制御部１６は、炊飯工程を構成する各工程において、高周波電流を誘導加熱コイル６に供給し、これによって発生する交番磁界によって内鍋４０を誘導加熱する。内鍋４０が誘導加熱されることにより、内鍋４０内の調理物４２が加熱され、むらし工程が終了するとご飯が炊きあがる。ここで、炊きあがった調理物４２を、米飯４５という。
【００３３】
炊飯工程の実行中においては、表示部２５のメニュー表示部２５１は操作部２０にて設定された炊飯条件を表示する。また、摂取カロリー表示部２５３は、炊飯工程の開始から途中までは現在時刻を表示し、所定タイミングになると炊飯工程の残り時間を表示する。
【００３４】
米飯４５が炊きあがると、重量検知手段１０は、米飯４５を含む内鍋４０の初期重量を検知し、その検知信号を制御部１６に送る。制御部１６は、初期重量を初期重量Ｗ0として記憶部１６１に記憶する。
【００３５】
次に、米飯４５が炊きあがった後の炊飯器１００の動作と作用を説明する。
図４は、実施の形態１に係る炊飯器のカロリー報知処理を説明するフローチャートである。また、図５は、実施の形態１に係る炊飯器のカロリー報知処理における表示部の表示例を説明する図である。以下、適宜図５を参照しつつ、図４に沿ってカロリー報知処理を説明する。
【００３６】
（Ｓ１０１）
初期状態、すなわち、米飯４５が炊きあがった後の状態においては、ＩＣタグ２００の読み取り待ちの状態である。
使用者が、ＩＣタグ２００を読取部表示２６の近傍にかざすと、次のステップへ移行する。ここで、ＩＣタグ２００には、使用者の当日の消費カロリーが記憶されているものとする。
【００３７】
（Ｓ１０２）
通信可能範囲内にＩＣタグ２００が近づけられると、非接触ＩＣ読取部２７は、ＩＣタグ２００から使用者の識別情報と消費カロリーを読み取り、その信号を制御部１６に出力する。制御部１６は、非接触ＩＣ読取部２７から取得した識別情報と消費カロリーのデータを、ＩＣタグ情報１６１ｂとして記憶部１６１に記憶させる。炊飯器１００は非接触通信により使用者の消費カロリーを取得するので、使用者は消費カロリーが記憶された媒体を炊飯器１００に対してケーブル等により通信接続する必要がない。このため、使用者が炊飯器１００に消費カロリーを読み取らせるための手間が少なくて使い勝手がよく、また、通信接続するためのコネクタ等も不要であるので炊飯器１００の筐体の構造が複雑化することもない。
【００３８】
（Ｓ１０３）
表示部２５の消費カロリー表示部２５２は、ＩＣタグ２００から取得した消費カロリーを数字で表示する。図５の例では、消費カロリー表示部２５２には「２３０」Ｋｃａｌの表示がなされている。
【００３９】
（Ｓ１０４）
制御部１６は、一食での摂取許容エネルギーである摂取許容カロリーＥ0を算出する。摂取許容カロリーＥ0の算出方法は、当該使用者が、米飯４５が炊きあがってから初めて米飯４５を取り出すのか、同じ内鍋４０から二度目以降に米飯４５を取り出すのかによって異なる。
【００４０】
（１）使用者が初めて米飯４５を取り出す場合
この場合、制御部１６は、ＩＣタグ２００から取得した消費カロリーを用いて、所定の演算処理により、一食での摂取許容カロリーＥ0を算出する。摂取許容カロリーＥ0を算出するためのアルゴリズムについては特に限定されず、任意のアルゴリズムを用いることができる。消費カロリーと摂取許容カロリーＥ0とを対応付けたデータベースを予め記憶部１６１に記憶しておき、ＩＣタグ２００から取得した消費カロリーに対応付けられている摂取許容カロリーＥ0をデータベースから検索することによって、摂取許容カロリーＥ0を算出してもよい。
【００４１】
（２）使用者が二度目以降に米飯４５を取り出す場合
使用者が同じ内鍋４０から米飯４５を二度目以降に取り出す場合には、制御部１６は、上記（１）と同様にして摂取許容カロリーＥ0を算出し、その算出値から、前回米飯４５を取り出したときの米飯４５の摂取カロリーＥ1を減算した値を、摂取許容カロリーＥ0とする。なお、後述するが、前回米飯４５を取り出したときの米飯４５の摂取カロリーＥ1は、記憶部１６１に使用者の識別情報とともに記憶されている（後述のステップＳ１１３参照）。制御部１６は、記憶部１６１に、当該使用者の識別情報及び摂取カロリーＥ1が格納されているか否かにより、使用者が同じ内鍋４０から二度目以降に米飯４５を取り出すのか否かを判断することができる。
【００４２】
なお、ここでは、制御部１６が消費カロリーに基づいて摂取許容カロリーＥ0を算出することを説明したが、ＩＣタグ２００が摂取許容カロリーＥ0の情報を保持している場合には、ステップＳ１０２にて消費カロリーとともに摂取許容カロリーＥ0をＩＣタグ２００から読み取ってもよい。このようにすることで、摂取許容カロリーＥ0の算出に係る制御部１６の処理負担を軽減できる。
【００４３】
制御部１６は、算出した摂取許容カロリーＥ0を記憶部１６１に記憶させる。
【００４４】
（Ｓ１０５）
蓋体開閉検知部１９は、蓋体３０の状態を検知し、その検知信号を制御部１６に送る。制御部１６は、蓋体３０が開放された場合には（Ｓ１０５；Ｙｅｓ）、次のステップＳ１０６に進む。一方、蓋体３０が閉じられたままの状態であれば（Ｓ１０５；Ｎｏ）、現在の状態を維持する。
【００４５】
（Ｓ１０６）
重量検知手段１０は、内鍋４０の重量の変化を検知しており、その検知信号を制御部１６に送信する。制御部１６は、重量検知手段１０により検知された検知重量Ｗ1と、記憶部１６１に記憶された初期重量Ｗ0（炊飯工程が終了して米飯４５が炊きあがった状態における内鍋４０の総重量）とを比較する。
検知重量Ｗ1＞初期重量Ｗ0の場合にはステップＳ１０７に進み、検知重量Ｗ1＜初期重量Ｗ0の場合にはステップＳ１０８に進み、検知重量Ｗ1＝初期重量Ｗ0の場合にはそのままの状態を維持する。
【００４６】
（Ｓ１０７）
検知重量Ｗ1＞初期重量Ｗ0の場合、すなわち、検知重量Ｗ1−初期重量Ｗ0が正の値の場合は、使用者が内鍋４０から米飯４５を取り出すためにしゃもじ等を内鍋４０に入れたためにそのしゃもじの荷重を含む重量が重量検知手段１０により検知され、検知重量Ｗ1が初期重量Ｗ0よりも増加したものと判断できる。そこで、制御部１６は、内鍋４０から米飯４５が取り出されるものと判断し、表示部２５の摂取カロリー表示部２５３を制御して、その表示を摂取カロリー表示に切り替えさせる。このとき、摂取カロリー表示部２５３は、初期値（例えば「０」Ｋｃａｌ）を表示する。
【００４７】
このように、本実施の形態１では、摂取カロリー表示部２５３において摂取カロリー表示を行うか否かを、重量検知手段１０により内鍋４０の荷重の変化を検知したか否かにより判断している。例えば、蓋体開閉検知部１９によって蓋体３０の開放を検知したときに、摂取カロリー表示部２５３の表示を切り替えることも可能であるが、使用者が単に蓋体３０を開放したというだけでは、使用者が内鍋４０から米飯４５を取り出そうとしているかどうか分からない。このため、例えば使用者が炊き上がりの状態を確認するためだけに蓋体３０を開放した場合、摂取カロリー表示部２５３の表示が現在時刻から摂取カロリー表示に切り替わってしまうこととなる。その場合、使用者の意思を確認するための操作ボタンを設けることもできるが、そうすると使用者の操作の手間が増えて使い勝手が低下し、また、製造コストも上昇する。しかし、本実施の形態１のように、重量検知手段１０により検知される内鍋４０の荷重の変化を、摂取カロリー表示部２５３の表示切り替えのトリガーとすることで、使用者に表示切り替えのための手間をかけさせることもなく、使い勝手の悪化を防ぐことができる。
【００４８】
（Ｓ１０８）
検知重量Ｗ1＜初期重量Ｗ0の場合（すなわち、検知重量Ｗ1−初期重量Ｗ0が負の値の場合）は、使用者が内鍋４０から米飯４５を取り出したものと判断できる。制御部１６は、重量検知手段１０により検知される内鍋４０の重量変化量である米飯４５の取り出し量Ｗ（取り出し量Ｗ＝初期重量Ｗ0−検知重量Ｗ1）を求める。そして制御部１６は、取り出し量Ｗに対し、記憶部１６１に記憶された単位重量当たりのエネルギー量ｅ（ｃａｌ／ｇ）を乗じて、取り出した米飯４５のエネルギー量である摂取カロリーＥ1を算出する。
【００４９】
（Ｓ１０９）
表示部２５の摂取カロリー表示部２５３は、制御部１６にて算出された摂取カロリーＥ1を、摂取カロリーとして数字で表示する。図５の例では、摂取カロリー表示部２５３には「１７８」Ｋｃａｌの表示がなされている。摂取カロリー表示部２５３が摂取カロリーＥ1を表示するに際し、例えば使用者による表示指示の操作は不要であり、使用者からすると、米飯４５を内鍋４０から取り出すと自動的に摂取カロリーＥ1が表示される。
【００５０】
このとき、表示部２５の消費カロリー表示部２５２は、図５に示すようにＩＣタグ２００から取得した使用者の消費カロリーを表示している状態である。すなわち、表示部２５には、消費カロリーと米飯４５の摂取カロリーＥ1の両方が表示された状態である。
したがって、使用者は、表示部２５に表示された消費カロリーと、内鍋４０から取り出した米飯４５のカロリーである摂取カロリーＥ1とを見比べながら、内鍋４０から取り出すご飯の量を調整することができる。
【００５１】
（Ｓ１１０）
制御部１６は、摂取カロリーＥ1（使用者が二度目以降に米飯４５を取り出す場合には、摂取カロリーＥ1の積算値）が、摂取許容カロリーＥ0を超えているか否かを判断する。この判断処理において摂取カロリーＥ1の値を用いるか、摂取カロリーＥ1の積算値を用いるかは、当該使用者が、米飯４５が炊きあがってから初めて米飯４５を取り出すのか、同じ内鍋４０から二度目以降に米飯４５を取り出すのかによって異なる。
【００５２】
（１）使用者が初めて米飯４５を取り出す場合
制御部１６は、ステップＳ１０８で算出した摂取カロリーＥ1と摂取許容カロリーＥ0とを比較することで、摂取カロリーＥ1が摂取許容カロリーＥ0を超えているか否かを判断する。
【００５３】
（２）使用者が二度目以降に米飯４５を取り出す場合
使用者が同じ内鍋４０から米飯４５を二度目以降に取り出す場合には、制御部１６は、ステップＳ１０８で算出した摂取カロリーＥ1と、前回米飯４５を取り出したときの摂取カロリーとの積算値を求め（積算値を積算摂取カロリーＥ2と称する）、積算摂取カロリーＥ2と摂取許容カロリーＥ0とを比較する。なお、後述するが、前回米飯４５を取り出したときの米飯４５の摂取カロリーＥ1は、記憶部１６１に使用者の識別情報とともに記憶されている（後述のステップＳ１１３参照）。制御部１６は、記憶部１６１に、当該使用者の識別情報及び摂取カロリーＥ1が格納されているか否かにより、使用者が同じ内鍋４０から二度目以降に米飯４５を取り出すのか否かを判断することができる。
【００５４】
そして、摂取カロリーＥ1又はその積算値が、摂取許容カロリーＥ0を超えている場合（Ｓ１１０；Ｙｅｓ）、ステップＳ１１１に進む。一方、摂取カロリーＥ1又はその積算値が、摂取許容カロリーＥ0を超えていない場合（Ｓ１１０；Ｎｏ）、ステップＳ１１２に進む。
【００５５】
（Ｓ１１１）
摂取カロリーＥ1が摂取許容カロリーＥ0を超えている場合、表示部２５は、その旨を文字や図形等を用いて使用者に報知する。また、表示部２５による報知に加え、あるいはこれに代えて、スピーカー１８が同様の内容を、音声を用いて使用者に報知してもよい。このように摂取カロリーＥ1が摂取許容カロリーＥ0を超えていることを使用者に報知することで、使用者はカロリー摂取過多となるのを抑制しやすい。
【００５６】
（Ｓ１１２）
制御部１６は、蓋体開閉検知部１９からの検知信号により、蓋体３０が閉められたか否かを検出する。蓋体３０が閉められた場合には（Ｓ１１２；Ｙｅｓ）、次のステップＳ１１３に進む。
一方、蓋体３０が開いたままの状態であれば（Ｓ１１２；Ｎｏ）、ステップＳ１０６に戻る。したがって、例えば、使用者が摂取カロリー表示部２５３の摂取カロリーＥ1の表示を見て、あるいはステップＳ１１１での報知を受けて、米飯４５を茶碗に盛り付け直した場合には、その都度摂取カロリー表示部２５３の表示が自動的に更新される。
【００５７】
（Ｓ１１３）
制御部１６は、最終的に重量検知手段１０によって検知された検知重量Ｗ1を、内鍋４０の初期重量Ｗ0として記憶部１６１に記憶させる。また、制御部１６は、摂取カロリーＥ1を、ＩＣタグ２００から読み取られた使用者の識別情報と紐付けて、記憶部１６１に記憶させる。
ここで、例えばお代わりをする場合等、使用者は同じ内鍋４０から二度、三度と米飯４５を取り出す場合があるが、摂取カロリーＥ1は、内鍋４０から米飯４５を取り出した回を区別して記憶部１６１に記憶される。すなわち、今回の摂取カロリーＥ1と、次回以降の摂取カロリーＥ1とは、区別されて記憶部１６１に記憶される。なお、記憶部１６１に記憶された摂取カロリーＥ1は、炊飯器１００にて次に炊飯を行う際に記憶部１６１から削除され、基本的には一回の炊飯工程が終了してから次の炊飯工程が開始されるまでの間は、記憶部１６１に記憶されている。
【００５８】
なお、ステップＳ１１３において、積算摂取カロリーＥ2を記憶部１６１に記憶しておき、記憶しておいた情報を、同じ内鍋４０から次に米飯４５が取り出された際の積算摂取カロリーＥ2の算出に用いてもよい。
【００５９】
（Ｓ１１４）
表示部２５の摂取カロリー表示部２５３は、摂取カロリーの表示から、通常状態の表示である現在時刻に表示を切り替える。また、消費カロリー表示部２５２も初期状態に表示を切り替える。
【００６０】
なお、本実施の形態１では、蓋体開閉検知部１９により蓋体３０の閉鎖を検知したときに、表示部２５における各種カロリーの表示から通常の表示に戻すことを説明したが（Ｓ１１２、Ｓ１１４）、表示の切り替えタイミングはこれに限定されない。例えば、重量検知手段１０によって内鍋４０の重量の変化が最後に検知されてから所定時間が経過すると、表示部２５の表示を切り替えるようにしてもよい。この場合、蓋体開閉検知部１９を必ずしも設けなくてもよい。
【００６１】
ここで、使用者は、お代わりをする場合等、同じ内鍋４０から二度、三度と米飯４５を取り出す場合がある。この場合も、炊飯器１００は、図４に示したカロリー報知処理と同様の処理を行う。以下、同じ内鍋４０から二度目に米飯４５を取り出す際の炊飯器１００の動作概要を、図４を参照して説明する。
使用者がＩＣタグ２００を読取部表示２６にかざすと、非接触ＩＣ読取部２７はＩＣタグ２００から使用者の識別情報と消費カロリーのデータを取得し、消費カロリー表示部２５２はその消費カロリーを表示する（Ｓ１０１〜Ｓ１０３）。制御部１６は、記憶部１６１に当該使用者の識別情報と前回の摂取カロリーＥ1が記憶されていることを確認することにより、使用者が二度目以降に内鍋４０から米飯４５を取り出すと判断し、ＩＣタグ２００から取得した消費カロリー及び記憶部１６１に記憶された摂取カロリーＥ1とに基づいて、一食の摂取許容カロリーＥ0を算出する（Ｓ１０４）。
【００６２】
その後、使用者が蓋体３０を開けて内鍋４０から米飯４５を取り出すと、制御部１６は取り出された米飯４５の摂取カロリーＥ1を算出するとともに、摂取カロリー表示部２５３はその摂取カロリーＥ1をリアルタイムに表示更新する（Ｓ１０５〜Ｓ１０９）。
【００６３】
そして、制御部１６は、記憶部１６１に当該使用者の識別情報と前回の摂取カロリーＥ1と今回の摂取カロリーＥ1との積算値である積算摂取カロリーＥ2を算出し、積算摂取カロリーＥ2が摂取許容カロリーＥ0を超えている場合には、カロリー超過を報知する（Ｓ１１０、Ｓ１１１）。
【００６４】
その後、蓋体３０が閉められると、重量検知手段１０によって検知された検知重量Ｗ1を、内鍋４０の初期重量Ｗ0として記憶部１６１に記憶させるとともに、摂取カロリーＥ1を、当該使用者の識別情報と紐付けて、記憶部１６１に記憶させる（Ｓ１１２、Ｓ１１３）。なお、前述の通り、摂取カロリーＥ1は、記憶部１６１に記憶された前回以前の摂取カロリーＥ1と、今回の摂取カロリーＥ1とが区別して記憶される。
【００６５】
なお、使用者が三度目以降に同じ内鍋４０から米飯４５を取り出す場合も、同様の処理を行う。
【００６６】
以上のように、本実施の形態１の炊飯器１００は、使用者が内鍋４０から米飯４５を取り出す（茶碗に米飯４５を盛り付ける）際にＩＣタグ２００を読取部表示２６にかざすと、ＩＣタグ２００に記憶された使用者の消費カロリーを表示部２５を用いて報知する。このため、使用者は、消費カロリーを気にしながら内鍋４０から米飯４５を取り出すことができ、摂取エネルギーの管理を行いやすい。これにより、使用者の健康意識の向上にもつながり、また、使用者のエネルギー摂取量が過多となるのを抑制することができる。
【００６７】
また、本実施の形態１の炊飯器１００は、内鍋４０から取り出された米飯４５のエネルギー量である摂取カロリーＥ1を、表示部２５を用いてリアルタイムに報知する。このため、使用者は、摂取カロリーＥ1（すなわち、使用者の摂取予定のカロリー量）を容易に認識することができる。
また、表示部２５は、摂取カロリーＥ1と消費カロリーとを併せて表示するので、使用者は、両者を比べながら内鍋４０から取り出す米飯４５の分量を調整することができる。このため、使用者は、米飯４５の分量の調整が行いやすく、使い勝手がよい。
【００６８】
また、本実施の形態１の炊飯器１００は、摂取カロリーＥ1が摂取許容カロリーＥ0を超過している場合には、これを使用者に報知する。また、同じ内鍋４０から米飯４５を複数回取り出す際には、摂取カロリーＥ1の積算値である積算摂取カロリーＥ2が摂取許容カロリーＥ0を超過している場合に、これを使用者に報知する。このため、使用者のカロリー摂取量が過多となるのを抑制することができる。また、使用者は、自ら計算等を行うことなくカロリー摂取量が過多か否かを把握できるので、使い勝手がよい。また、積算摂取カロリーＥ2に基づいてカロリー超過の有無を判断するので、複数回に分けて内鍋４０から米飯４５を取り出した場合でも、使用者は一食当たりのカロリー摂取量が摂取許容カロリーＥ0を超過しているか否かが分かり、一食のカロリー摂取量が過多となるのを抑制することができる。
【００６９】
また、使用者は、表示部２５に消費カロリーや摂取カロリーＥ1を表示させるに際して、特別な操作を行う必要がないので、使い勝手がよい。
【００７０】
実施の形態２．
前述の実施の形態１では、ＩＣタグ２００から取得した消費カロリー、及び内鍋４０から取り出された米飯４５の摂取カロリーＥ1を、表示部２５における数字表示にて報知することを説明した。
本実施の形態２では、消費カロリー及び摂取カロリーＥ1を表示部２５で表示するのに代えて、スピーカー１８を用いて音声にて報知する構成例を説明する。すなわち、本実施の形態２では、スピーカー１８が、消費カロリー及び摂取カロリーＥ1を報知する報知手段として機能する。以下、実施の形態１との相違点を中心に説明する。
【００７１】
実施の形態２の炊飯器１００は、図１、図３で示した構成については実施の形態１と同様である。
図２に示した炊飯器１００の前面側上部の上面図については、本実施の形態２は実施の形態１とは異なり、消費カロリー表示部２５２及び摂取カロリー表示部２５３を備えていない。なお、現在時刻や炊飯工程の残り時間等は、表示部２５にて表示される。
【００７２】
次に、実施の形態２に係る炊飯器１００のカロリー報知処理を説明する。なお、実施の形態２のカロリー報知処理の基本的な流れは、実施の形態１の図４と同様であるので、図４を参照して説明する。
【００７３】
ステップＳ１０１、Ｓ１０２は、実施の形態１と同様である。
【００７４】
（Ｓ１０３）
スピーカー１８は、ＩＣタグ２００から取得した消費カロリーを音声出力する。例えば、「消費カロリーはＸＸカロリーです。」のように報知する。
【００７５】
ステップＳ１０４、Ｓ１０５は、実施の形態１と同様である。
【００７６】
（Ｓ１０６、Ｓ１０７）
前述の実施の形態１では、ステップＳ１０６にて検知重量Ｗ1が初期重量Ｗ0より大きいか否かを検知し、大きい場合、すなわち使用者が内鍋４０から米飯４５を取り出す際にしゃもじ等によってかかる荷重を検知した場合に、ステップＳ１０７にて摂取カロリー表示部２５３の表示を切り替えることを説明した。
しかし、本実施の形態２では、検知重量Ｗ1が初期重量Ｗ0より大きいか否かを検知する必要はない。というのは、表示部２５での報知を行わないので、表示部２５の表示を変更する必要がないためである。したがって、実施の形態２のステップＳ１０６では、検知重量Ｗ1が初期重量Ｗ0より小さくなったことのみを検知し、また、ステップＳ１０７の処理を設けない。
【００７７】
ステップＳ１０８は、実施の形態１と同様である。
【００７８】
（Ｓ１０９）
スピーカー１８は、摂取カロリーＥ1を音声にて報知する。例えば、「摂取カロリーはＹＹです」のように報知する。このとき、「消費カロリーはＸＸカロリーです。摂取カロリーはＹＹカロリーです」のように、消費カロリーと摂取カロリーＥ1とを続けて報知してもよい。このようにすることで、使用者は、消費カロリーと摂取カロリーＥ1とを比べやすく、米飯４５を取り出す分量を調整しやすい。
【００７９】
ステップＳ１１０は、実施の形態１と同様である。
【００８０】
（Ｓ１１１）
摂取カロリーＥ1が摂取許容カロリーＥ0を超えている場合、スピーカー１８は、その旨を音声にて報知する。例えば、「摂取カロリーが摂取許容カロリーを超えています。」のように報知する。このように、摂取カロリーＥ1が摂取許容カロリーＥ0を超えていることを使用者に報知することで、使用者は、カロリー摂取過多となるのを抑制しやすい。
【００８１】
（Ｓ１１２）
制御部１６は、蓋体開閉検知部１９からの検知信号により、蓋体３０が閉められたか否かを検出する。蓋体３０が閉められた場合には（Ｓ１１２；Ｙｅｓ）、次のステップＳ１１３に進む。
一方、蓋体３０が開いたままの状態であれば（Ｓ１１２；Ｎｏ）、ステップＳ１０６に戻る。したがって、例えば、ステップＳ１０９、Ｓ１１１でのスピーカー１８による音声報知を受けて、米飯４５を茶碗に盛り付け直した場合には、その都度、スピーカー１８が音声報知を行う。
【００８２】
なお、蓋体３０が開いたままの状態で内鍋４０の荷重の変化がない場合には、スピーカー１８が、消費カロリー、摂取カロリーＥ1、及びカロリー超過のメッセージのうち既に報知済みのものを、所定時間おきに繰り返し音声報知してもよい。このようにすることで、例えば使用者が一度目の音声報知を聞き逃した場合や、忘れてしまった場合でも、使用者に改めて情報を知らせることができる。
【００８３】
ステップＳ１１３は、実施の形態１と同様である。
【００８４】
（Ｓ１１４）
本実施の形態２では表示部２５を用いたカロリー報知処理を行わないので、ステップＳ１１４は実行しない。
【００８５】
なお、使用者が、同じ内鍋４０から二度、三度と米飯４５を取り出す場合の炊飯器１００の動作は、実施の形態１で説明した内容に準じたものとなる。
【００８６】
以上のように、本実施の形態２の炊飯器１００は、ＩＣタグ２００に記憶された消費カロリーを報知する。
また、本実施の形態２の炊飯器１００は、内鍋４０から取り出された米飯４５のエネルギー量である摂取カロリーＥ1を、スピーカー１８を用いてリアルタイムに音声報知する。
また、本実施の形態２の炊飯器１００は、摂取カロリーＥ1が摂取許容カロリーＥ0を超過している場合には、これを使用者に音声報知する。また、同じ内鍋４０から米飯４５を複数回取り出す際には、摂取カロリーＥ1の積算値である積算摂取カロリーＥ2が摂取許容カロリーＥ0を超過している場合に、これを使用者に音声報知する。
このため、本実施の形態２によれば、実施の形態１と同様の効果を得ることができる。
【００８７】
また、本実施の形態２では、消費カロリー、摂取カロリーＥ1、及びカロリー超過の旨をスピーカー１８によって音声報知する。このため、使用者は、内鍋４０から米飯４５を取り出すときに表示部２５の表示を注視する必要がなく、米飯４５の取り出し（茶碗への盛り付け）の作業に集中することができる。また、本実施の形態２では、消費カロリー、摂取カロリーＥ1、及びカロリー超過の旨を表示部２５にて表示する必要がない。このため、使用者が内鍋４０から米飯４５を取り出すときに表示部２５の表示内容を変更する必要がなく、表示部２５の構成及び表示制御を簡略化することができる。
【００８８】
また、使用者は、スピーカー１８に消費カロリーや摂取カロリーＥ1を音声報知させるに際して、特別な操作を行う必要がないので、使い勝手がよい。
【００８９】
なお、実施の形態２のスピーカー１８を用いた音声による報知に加え、実施の形態１で示した表示部２５を用いた視覚的な報知を組み合わせてもよい。聴覚的な報知と視覚的な報知の両方を行うことで、幅広い使用者のニーズに対応することができる。
【００９０】
実施の形態３．
図６は、実施の形態３に係る炊飯器の前面側上部の要部上面図である。なお、図６では、実施の形態１と同様の構成には同じ符号を付している。以下、実施の形態３について、実施の形態１との相違点を中心に説明する。
【００９１】
前述の実施の形態１では、表示部２５の消費カロリー表示部２５２にて消費カロリーを数字で表示し、表示部２５の摂取カロリー表示部２５３にて摂取カロリーＥ1を数字で表示することを説明した。本実施の形態３では、消費カロリー表示部２５２及び摂取カロリー表示部２５３に加え、インジケーター部２８を表示部２５内に設けている。
【００９２】
インジケーター部２８は、一列に配列された複数のセグメント（表示要素）で構成されており、これらセグメントの点灯状態によって、摂取カロリーＥ1（積算摂取カロリーＥ2を算出した場合には積算摂取カロリーＥ2）と、摂取許容カロリーＥ0との差の程度を段階的に示すレベル表示部である。
【００９３】
本実施の形態３では、具体的には、配列方向の中央にある中央セグメント２８１が、摂取許容カロリーＥ0の値に対応している。
そして、摂取許容カロリーＥ0の値に対して、摂取カロリーＥ1（あるいは積算摂取カロリーＥ2）が小さい場合には、インジケーター部２８のセグメントのうち中央のセグメント２８１よりも一端側（図６の紙面左側）のセグメントを一又は複数個点灯させる。セグメントの点灯数は、摂取許容カロリーＥ0と摂取カロリーＥ1（あるいは積算摂取カロリーＥ2）との差に応じて、可変とする。例えば、摂取許容カロリーＥ0に対して摂取カロリーＥ1（あるいは積算摂取カロリーＥ2）が少ないほど、セグメントの点灯数を少なくする。
【００９４】
また、摂取許容カロリーＥ0の値に対して、摂取カロリーＥ1（あるいは積算摂取カロリーＥ2）が大きい場合には、インジケーター部２８のセグメントのうち中央のセグメント２８１よりも他端側（図６の紙面右側）のセグメントを一又は複数個点灯させる。セグメントの点灯数は、摂取許容カロリーＥ0と摂取カロリーＥ1（あるいは積算摂取カロリーＥ2）との差に応じて、可変とする。例えば、摂取許容カロリーＥ0に対して摂取カロリーＥ1（あるいは積算摂取カロリーＥ2）が多いほど、セグメントの点灯数を多くする。
【００９５】
インジケーター部２８を用いた上記の報知は、図４のステップＳ１０９にて行うことができる。
【００９６】
なお、本実施の形態３では、液晶画面からなる表示部２５に複数の表示要素としてのセグメントを設けて、レベル表示部としてのインジケーター部２８を構成した例を示したが、独立して点灯状態を制御される複数の発光素子によってレベル表示部を構成してもよい。また、インジケーター部２８を構成するセグメント（表示領域）の点灯状態の切り替え方法は、上述の例に限定されず、摂取許容カロリーＥ0と摂取カロリーＥ1（あるいは積算摂取カロリーＥ2）との対応関係を表現することのできる他の方法を用いてもよい。また、上記説明では、インジケーター部２８の各セグメントの点灯／消灯状態によって、摂取許容カロリーＥ0と摂取カロリーＥ1（あるいは積算摂取カロリーＥ2）との差の程度を示したが、セグメントの点滅状態や点灯色等の表示状態を異ならせてもよい。
【００９７】
以上のように、本実施の形態３では、摂取許容カロリーＥ0と摂取カロリーＥ1（あるいは積算摂取カロリーＥ2）との対応関係を、インジケーター部２８により視覚的に示すようにした。このため、使用者は、摂取許容カロリーＥ0と摂取カロリーＥ1（あるいは積算摂取カロリーＥ2）との差異を直感的に理解しやすいので、健康意識をより向上させることができる。
【００９８】
なお、本実施の形態３では、表示部２５の摂取カロリー表示部２５３にて摂取カロリーＥ1を併せて数値表示するものとして説明したが、これを省略することもできる。また、実施の形態２で説明した音声報知を、実施の形態３に組み合わせてもよい。
【００９９】
また、上記実施の形態１〜３においては、米（白米）４３と水４４からなる調理物４２（米飯４５）を炊飯する場合について説明し、記憶部１６１は白米の単位重量あたりのエネルギー量を基準エネルギー量１６１ａとして記憶していることを説明した。しかし、炊飯器１００が調理対象とする調理物は白米に限らない。例えば、玄米、赤飯等の複数種類の調理物の単位重量当りのエネルギー量をそれぞれ基準エネルギー量１６１ａとして予め制御部１６の記憶部１６１に記憶しておき、操作部２０により炊飯設定のための調理物の種類（例えば、玄米、赤飯等）の設定がなされると、その設定に応じて、対象とする調理物に関するカロリー報知を行うようにしてもよい。このようにすることで、実施の形態１〜３と同様の効果が得られ、また、調理物に応じたより正確な情報を使用者に報知することができる。
【０１００】
また、上記実施の形態１〜３においては、ＩＣタグ２００から取得した消費カロリーに基づいて制御部１６が摂取許容カロリーＥ0を算出することを説明した。しかし、ＩＣタグ２００に使用者の摂取許容カロリーＥ0が記憶されている場合には、非接触ＩＣ読取部２７がＩＣタグ２００から摂取許容カロリーＥ0を取得してもよい。このようにすることで、制御部１６による摂取許容カロリーＥ0の算出処理が不要となる。
【０１０１】
また、上記実施の形態１〜３においては、摂取カロリー（摂取カロリーＥ1あるいは積算摂取カロリーＥ2）が摂取許容カロリーＥ0を超えている場合に、その旨を表示部２５及びスピーカー１８のいずれか又は両方により報知することを説明した（図４のステップＳ１１１参照）。しかし、表示部２５及びスピーカー１８のいずれか又は両方が、摂取カロリーと摂取許容カロリーＥ0との差分を、報知するようにしてもよい。摂取カロリーが摂取許容カロリーＥ0に対して多い場合は、これを報知することで使用者がカロリー過多となるのを抑制でき、また摂取カロリーが摂取許容カロリーＥ0に対して少ない場合は、これを報知することで使用者がカロリー不足となるのを抑制することができる。
【符号の説明】
【０１０２】
１  炊飯器本体、２  内鍋支持ケース、３  コイル台、３ａ  開口部、５  内鍋収容部、６  誘導加熱コイル、７  基台、８  内鍋検知装置、１０  重量検知手段、１１  センサ台、１２  内鍋検知体、１３  ロードセル、１５  前面パネル、１６  制御部、１７  送風機、１８  スピーカー、１９  蓋体開閉検知部、２０  操作部、２１  炊飯スタートキー、２２  切・保温キー、２３  予約タイマーキー、２４  メニューキー、２５  表示部、２６  読取部表示、２７  非接触ＩＣ読取部、２８  インジケーター部、３０  蓋体、３１  ヒンジ、４０  内鍋、４１  フランジ、４２  調理物、４３  米、４４  水、４５  米飯、１００  炊飯器、１６１  記憶部、１６１ａ  基準エネルギー量、１６１ｂ  ＩＣタグ情報、２００  ＩＣタグ、２５１  メニュー表示部、２５２  消費カロリー表示部、２５３  摂取カロリー表示部、２８１  中央セグメント。
【図１】
0005950687.tif 000002
【図２】
0005950687.tif 000003
【図３】
0005950687.tif 000004
【図４】
0005950687.tif 000005
【図５】
0005950687.tif 000006
【図６】
0005950687.tif 000007